(57)【要約】【課題】人畜に対する安全性や環境保全性にすぐれ、鼠害を防除もしくは低減可能であり、且つ発芽が良好な植物種子の提供。【課題の解決手段】播種される植物種子であって、該種子の表面が鼠の摂食を忌避し且つ発芽率を向上する物質を含むコーティング剤で被覆されていることを特徴とする、鼠害を防除可能で且つ発芽が良好な植物種子。上記の鼠の摂食を忌避し且つ発芽率を向上する物質は、一般式（Ｉ）【化１】2008005827.tif 000008（式中、Ｒは炭素数７〜１２のアルキル基又はアルケニル基を表す。）で表されるカプサイシン類が好ましい。【選択図】なし【特許請求の範囲】
【請求項１】
播種される植物種子であって、該種子の表面が鼠の摂食を忌避し且つ発芽率を向上する物質を含むコーティング剤で被覆されていることを特徴とする、鼠害を防除可能で且つ発芽が良好な植物種子。
【請求項２】
上記の鼠の摂食を忌避し且つ発芽率を向上する物質は、一般式（Ｉ）
【化１】
2008005827.tif 000007
（式中、Ｒは炭素数７〜１２のアルキル基又はアルケニル基を表す。）で表されるカプサイシン類からなる、請求項１に記載の植物種子。
【請求項３】
前記播種される植物種子は、土壌に播種されると発芽し生育することができる種子であって、穀類、綿花、蔬菜、樹木及び草からなる群から選択される、請求項１または請求項２に記載の植物種子。
【請求項４】
上記の鼠の摂食を忌避し且つ発芽率を向上する物質は、植物種子の総質量に基づいて、０．０１質量％乃至０．１５質量％の量にて配合されている、請求項１乃至請求項３のうちいずれか一項に記載の植物種子。
【請求項５】
上記コーティング剤は、上記の鼠の摂食を忌避し且つ発芽率を向上する物質、並びに、種子表面に付着するための結合剤を含有する、請求項１乃至請求項４のうちいずれか一項に記載の植物種子。
【請求項６】
上記結合剤は、塗膜剤及び界面活性剤の混合物からなる、請求項５に記載の植物種子。
【発明の詳細な説明】
【技術分野】
【０００１】
本発明は、鼠害を防除もしくは低減可能で、且つ発芽が良好な植物種子に関するものである。
【背景技術】
【０００２】
従来から、農作地に播種された植物種子が、ノネズミなどによる鼠害を受け、農作物に甚大な被害をこうむっている。ハウスや育苗箱を用いた栽培であれば、柵を設けるなどして物理的対策を講じることもできるが、近年普及している空中播種においては種子が直ちに鼠類の食用に晒され、播種された種子のおよそ半分が被害を受けているという報告もある。このように事態は深刻であるにもかかわらず、有効な防除方法がなく、その対策が急がれている。
【０００３】
ところで、唐辛子の主要成分として知られるカプサイシン類は、その骨格にバニリルアミド構造を有するアルカロイドである。天然カプサイシンの外、安価で辛さの点でも天然品を凌ぐ合成カプサイシン、例えば、Ｎ−ノナノイルバニリルアミド（合成アリシン）が実用化に至り、ネズミ類の摂食忌避剤として広く使用されている。例えば、特許第３０５３４８０号公報に、カプサイシン類をメラミン樹脂膜で被覆したマイクロカプセルを含有してなる動物咬害防止用塗料組成物、具体的には防鼠電線、防鼠ケーブル等が開示されている。また、特許第２５９４４８５号には、ヒマワリの種子、アワ、大麦、小麦などを含む鳥餌に、カプサイシンまたはその誘導体もしくは類似体を処理し、ゲッ歯類動物が食するのを撃退する鳥餌が記載されている。
しかしながら、これらの公報に開示されているのは、カプサイシン類を含む材料や食品であって、農作地に播種される種子とは使用される条件が大いに異なる。すなわち、本発明が対象とする種子は、自然環境下で発芽し生育することができるものなので、その鼠害防除対策を講ずるにあたっては、前記公報の記載内容をそのまま転用できず、発芽への影響試験など、新しい観点から種々検討を必要としている。
【特許文献１】特許第３０５３４８０号公報
【特許文献２】特許第２５９４４８５号公報
【発明の開示】
【発明が解決しようとする課題】
【０００４】
本発明は、人畜に対する安全性や環境保全性にすぐれ、鼠害を防除もしくは低減可能であり、しかも発芽が良好な植物種子を提供することを目的とする。
【課題を解決するための手段】
【０００５】
本発明者らは、植物種子の表面を、鼠の摂食を忌避し且つ発芽率を向上する物質を含むコーティング剤で被覆することによって、上記課題を解決し得ることを知見し本発明を完成した。
【０００６】
すなわち、本発明は、次のような構成を採用する。
（１）播種される植物種子であって、該種子の表面が鼠の摂食を忌避し且つ発芽率を向上する物質を含むコーティング剤で被覆されていることを特徴とする、鼠害を防除可能で且つ発芽が良好な植物種子。
（２）上記の鼠の摂食を忌避し且つ発芽率を向上する物質は、一般式（Ｉ）
【化１】
2008005827.tif 000002
（式中、Ｒは炭素数７〜１２のアルキル基又はアルケニル基を表す。）で表されるカプサイシン類からなる（１）に記載の植物種子。
（３）前記播種される植物種子は、土壌に播種されると発芽し生育することができる種子であって、穀類、綿花、蔬菜、樹木及び草からなる群から選択される（１）または（２）に記載の植物種子。
（４）上記の鼠の摂食を忌避し且つ発芽率を向上する物質は、植物種子の総質量に基づいて、０．０１質量％乃至０．１５質量％の量にて配合されている（１）乃至（３）のうちいずれか一項に記載の植物種子。
（５）上記コーティング剤は、上記の鼠の摂食を忌避し且つ発芽率を向上する物質、並びに、種子表面に付着するための結合剤を含有する（１）乃至（４）のうちいずれか一項に記載の植物種子。
（６）上記結合剤は、塗膜剤及び界面活性剤の混合物からなる（５）に記載の植物種子。
【発明の効果】
【０００７】
本発明の植物種子は、その表面が鼠の摂食を忌避し且つ発芽率を向上する物質（以後、活性物質と記載する。）を含む種子コーティング剤で被覆されており、人畜に対する安全性や環境保全性にすぐれ、鼠害を防除もしくは低減させる効果が高く、しかも発芽に全く影響を及ぼさないばかりか、発芽率向上効果をも有するのでその実用性は極めて高い。
【発明を実施するための最良の形態】
【０００８】
本発明の植物種子は、活性物質、結合剤（塗膜剤、界面活性剤）、溶剤及び消泡剤等を含む種子コーティング剤を、播種される種子の表面に被覆して製する。
本発明では活性物質としてカプサイシン類を主に用いる。カプサイシン類としては、一般式（Ｉ）
【化２】
2008005827.tif 000003
（式中、Ｒは炭素数７〜１２のアルキル基又はアルケニル基を表す。）で表されるカプサイシン類があげられ、炭素数７〜１２のアルキル基としては、直鎖又は分岐鎖が挙げられ、ヘプチル基、オクチル基、ノニル基、デシル基、ウンデシル基及びドデシル基が挙げられ、炭素数７〜１２のアルケニル基としては、直鎖又は分岐鎖が挙げられ、ヘプテニル基、オクテニル基、ノネニル基、デセニル基、ウンデセニル基及びドデセニル基等が挙げられる。
カプサイシン類の具体例としては、カプサイシン、ジヒドロカプサイシン、ホモカプサイシン、ノルジヒドロカプサイシン、ホモジヒドロカプサイシン、Ｎ−カプリロイルバニリルアミド、Ｎ−ノナノイルバニリルアミド（以降、ＮＶＡと称す）、Ｎ−デカノイルバニリルアミド（以降、ＤＶＡと称す）等があげられるが、これらに限定されない。そして、化合物の各々を単独で用いても、あるいは任意の混合物やトウガラシからの抽出混合物であっても構わない。なお、カプサイシン類の種子コーティング剤中における配合量は、
特に限定されないが、１．０〜１５質量％程度が適当である。
カプサイシン類が鼠に対して忌避性を示し防鼠ケーブル用途に有用であることはよく知られていたが、農作地に播種される種子に適用することはこれまでほとんど着目されておらず、本発明は新規な用途開発といえる。
【０００９】
本発明の植物種子は、自然環境下で、時にヘリコプターにより空中播種されるので、種子コーティング剤には塗膜剤が１．０〜５．０質量％配合される。塗膜剤は、種子の耐久性を高め、活性物質の効果を持続させるのに有用であるが、種子の発芽や生育に影響があってはならないため、本発明者らは種々検討を行った。その結果、塗膜剤として、ポリビニルアルコール、ポリエチレングリコール、ポリビニルピロリドン、ヒドロキシエチルセルロース、ヒドロキシプロピルセルロース、ヒドロキシプロピルメチルセルロース、ゼラチン、アルギン酸ナトリウム、デキストリン、アラビアゴムなど、環境で蓄積しない植物性のものが好ましかった。
【００１０】
また、本発明の植物種子は、その発芽や生育を損なわないばかりか、発芽率向上作用をも示すのであるが、特に、ポリビニルアルコール、ポリエチレングリコール、ポリビニルピロリドンを用いて処理した場合には、発芽率向上作用がより向上することも認められた。
【００１１】
界面活性剤としては、非イオン系界面活性剤やアニオン系界面活性剤が好適に用いられる。前者の代表例を示せば、例えば、ポリオキシエチレンアルキルエーテル類、ポリオキシエチレンアルキルフェニルエーテル類、ポリオキシエチレンポリオキシプロピレンアルキルエーテル類、ポリオキシエチレンポリオキシプロピレンフェニルフェノールエーテル誘導体、ポリオキシエチレンアルキルアミノエーテル類などのエーテル類、ポリエチレングリコール脂肪酸エステル類、ポリオキシエチレンソルビタン脂肪酸エステル類、ポリオキシエチレングリセリン脂肪酸エステル類などの脂肪酸エステル類、ポリオキシエチレンスチレン化フェノール、脂肪酸のポリアルカロールアミドなどがあげられる。一方、アニオン系界面活性としては、ドデシルベンゼンスルホン酸カルシウム、ドデシルベンゼンスルホン酸アミン塩等があげられる。
界面活性剤は、活性物質や塗膜剤等を水中で均一に分散させる役目を有し、種子コーティング剤中に５〜３０質量％程度配合すればよい。
【００１２】
溶剤としては、エタノール等のアルコール類、酢酸エチル、酢酸ブチル等のエステル類、グリコールエーテル類、ケトン類、エーテル類、芳香族又は脂肪族炭化水素などをあげることができる。更に、必要に応じて種々の補助剤、例えば、シリコン系の消泡剤、着色剤、分散剤、安定剤等を適宜配合してもよい。また、本発明の趣旨を逸脱しない限り、殺菌剤、成長調整剤等を添加し、他の効能・効果を付与させるようにしても構わない。
【００１３】
種子コーティング剤は、前記活性物質、界面活性剤及び溶剤を混合、攪拌して得られる透明・均一な混合物に、塗膜剤、消泡剤等を加えて調製され、その外観は透明あるいは不透明の乳液状で、微粒子の大きさは１μ以下である。従来の種子コーティング剤に比べて微粒子の大きさが小さいので、種子内部への浸透性に優れ効果発現の面で有利となる。また、０〜５５℃の範囲で液性は安定しており、２層に分離することはない。
【００１４】
本発明の植物種子は、前記種子コーティング剤を用い、次のような方法によって調製される。
（１）乾燥種子をコーティング機に入れ、種子質量に対して０．１〜５．０質量％程度の種子コーティング剤を加え、湿粉衣する。
（２）種子コーティング剤を１０〜５００倍程度希釈し、その希釈液に種子を浸漬する。（３）種子コーティング剤を１０倍程度希釈し、その希釈液を吹付け処理により種子に均
一に付着させる。
上記方法のなかでは、（１）が取り扱いやすいが、いずれによっても、種子表面に被覆される活性物質（主にカプサイシン類）が種子質量あたり０．０１〜０．１５質量％、好ましくは０．０２〜０．１質量％になるように調整し、必要に応じて、風乾、浸種の処理を施す。
本発明が適用される種子としては、穀類、綿花及び蔬菜などがあげられるが、これらに限定されるものではない。
尚、穀類としては米、トウモロコシ、大麦、小麦、ライ麦、カラス麦、はと麦、キビ、アワ、ヒエ、モロコシ、小豆、大豆、リョクトウ、ソラマメ、蕎麦等が挙げられ、好ましい穀類としては米、トウモロコシ、小麦、大豆等が挙げられる。また、樹木としては、チョウセンマツ、ポプラ、サジーなど、草としてはヨモギやムレスズメ属の草などがあげられる。
【００１５】
こうして得られた本発明の植物種子は、ヘリコプターにより広範囲に飛播される種子にも適用でき、撒いた種子がネズミから害を受けるのを持続的に防除するため、飛播成功率も高い。しかも、発芽に影響を及ぼさないばかりか、発芽率向上効果も有するのでその経済的効果は多大である。本発明の植物種子が発芽率向上効果を示すメカニズムは、はっきりと解明されているわけではないが、活性物質、特にカプサイシン類が有する刺激性や塗膜剤の性状等が関与しているものと推測される。
更に本発明の植物種子は、製剤化にあたり最新技術を取り入れ、施用量を抑えるとともに生産コストを下げることもでき、環境保護の面からも優れているので極めて有用なものである。
【実施例】
【００１６】
次に、具体的実施例に基づいて、本発明の植物種子を更に詳細に説明するが、本発明はもちろんこれらに限定されるものではない。
実施例１
【００１７】
天然カプサイシン３．０質量％、パールを含むピンク色の染料０．５質量％、塗膜剤としてのポリビニルピロリドン１．５質量％、非イオン界面活性剤７．０質量％、アニオン界面活性剤８．０質量％、溶剤１８質量％、消泡剤１．０質量％及び残部を水とする種子コーティング剤を調製した。
大豆の乾燥種子１００部に対して種子コーティング剤３部を用いて湿粉衣処理を施し、天然カプサイシンが種子質量あたり０．０９質量％被覆された本発明の植物種子を得た。実施例２
【００１８】
ＮＶＡ １．５質量％、黄色の染料０．５質量％、塗膜剤としてのポリビニルアルコー
ル１．５質量％、非イオン界面活性剤５．５質量％、アニオン界面活性剤６．０質量％、溶剤１５質量％、消泡剤１．０質量％及び残部を水とする種子コーティング剤を調製した。
種子コーティング剤を２０倍に希釈し、その希釈液にトウモロコシの乾燥種子を浸漬させて、ＮＶＡが種子質量あたり０．０５質量％被覆された本発明の植物種子を得た。
効果試験例１
【００１９】
実施例１に準じて調製した本発明の大豆及びとうもろこしの種子各々５粒と、非処理穀粒を飼育ケージ内に置いた後、ラットを１匹入れ、２週間にわたり経日的に摂食状況を観察した。試験は雄雌各３匹用いて６連行った。また、本発明の種子及び非処理穀粒は、摂食し尽くした場合や尿や水で濡れた場合、追加又は交換補給した。下記の基準に従い摂食阻止効果を評価し、その結果を表１に示す。
○；６匹全てが全く摂食しないか、あっても６匹のうちの１匹が限定的に僅かに摂食したに留まるもの、
△；６匹のうち少なくとも３匹以上が摂食しなかったもの、
×；ほとんど摂食を阻止できなかったもの。
【００２０】
【表１】
2008005827.tif 000004
【００２１】
試験の結果、ＮＶＡを０．０５質量％被覆させた本発明の大豆及びとうもろこしの種子は、鼠に対して高い摂食阻止効果を示した。
効果試験例２
【００２２】
実施例１及び実施例２に準じて調製した本発明の大豆の種子を用い、種子の発芽状況を調べた。対照は種子コーティング剤で被覆していない種子を使用した。天然カプサイシンを３．０質量％含有する種子コーティング剤を用いた試験の結果を表２に、また、ＮＶＡを１．５質量％含有する種子コーティング剤を用いた試験の結果を表３示す。
【００２３】
【表２】
2008005827.tif 000005
【００２４】
【表３】
2008005827.tif 000006
【００２５】
試験の結果、本発明の植物種子は高い発芽率向上効果を示すことが認められ、鼠害防除効果と相まって、その有用性は極めて高い。
【手続補正書】
【提出日】平成19年10月16日(2007.10.16)
【手続補正１】
【補正対象書類名】特許請求の範囲
【補正対象項目名】全文
【補正方法】変更
【補正の内容】
【特許請求の範囲】
【請求項１】
播種される植物種子であって、該種子の表面が一般式（Ｉ）
【化１】
2008005827.tif 000009
（式中、Ｒは炭素数７〜１２のアルキル基又はアルケニル基を表す。）で表されるカプサイシン類を含むコーティング剤で被覆されていることを特徴とする、鼠害を防除可能で且つ発芽が良好な植物種子。
【請求項２】
前記播種される植物種子は、土壌に播種されると発芽し生育することができる種子であって、穀類、綿花、蔬菜、樹木及び草からなる群から選択される、請求項１に記載の植物種子。
【請求項３】
上記一般式（Ｉ）で表されるカプサイシン類は、植物種子の総質量に基づいて、０．０１質量％乃至０．１５質量％の量にて配合されている、請求項１または請求項２に記載の植物種子。
【請求項４】
上記コーティング剤は、上記一般式（Ｉ）で表されるカプサイシン類、並びに、種子表面に付着するための結合剤を含有する、請求項１乃至請求項３のうちいずれか一項に記載の植物種子。
【請求項５】
上記結合剤は、塗膜剤及び界面活性剤の混合物からなる、請求項４に記載の植物種子。
【手続補正２】
【補正対象書類名】明細書
【補正対象項目名】０００６
【補正方法】変更
【補正の内容】
【０００６】
すなわち、本発明は、次のような構成を採用する。
（１）播種される植物種子であって、該種子の表面が一般式（Ｉ）
【化１】
2008005827.tif 000010
（式中、Ｒは炭素数７〜１２のアルキル基又はアルケニル基を表す。）で表されるカプサイシン類を含むコーティング剤で被覆されていることを特徴とする、鼠害を防除可能で且つ発芽が良好な植物種子。
（２）前記播種される植物種子は、土壌に播種されると発芽し生育することができる種子であって、穀類、綿花、蔬菜、樹木及び草からなる群から選択される（１）に記載の植物種子。
（３）上記一般式（Ｉ）で表されるカプサイシン類は、植物種子の総質量に基づいて、０．０１質量％乃至０．１５質量％の量にて配合されている（１）または（２）に記載の植物種子。
（４）上記コーティング剤は、上記一般式（Ｉ）で表されるカプサイシン類、並びに、種子表面に付着するための結合剤を含有する（１）乃至（３）のうちいずれか一項に記載の植物種子。
（５）上記結合剤は、塗膜剤及び界面活性剤の混合物からなる（４）に記載の植物種子。